(57)【要約】【課題】顕微鏡の本体に対して着脱自在であり、顕微鏡本体への装着が容易であるとともに顕微鏡本体から外れにくいコードハンガーを提供する。【解決手段】電源コードが巻き付けられるコード巻付部と、コード巻付部の表面からそれぞれ突出し、先端が当該コードハンガーの長手方向に沿って同じ方向を向く鉤状をなす複数のフックと、複数のフックの先端が指向する方向と反対方向へ延びる片持ち梁状をなし、複数のフックよりも前記長手方向の一方の端部の近くに位置し、当該コードハンガーを顕微鏡に取り付けた状態で顕微鏡からの抜け止めを行う抜止部と、を備える。【選択図】図１
2013086899.tif 000002
【特許請求の範囲】
【請求項１】
電源コードを含む電源モジュールを介して電源を供給する顕微鏡に着脱自在に取り付けられ、前記電源モジュールを保持するコードハンガーであって、
前記電源コードが巻き付けられるコード巻付部と、
前記コード巻付部の表面からそれぞれ突出し、先端が当該コードハンガーの長手方向に沿って同じ方向を指向する鉤状をなす複数のフックと、
前記複数のフックの先端が指向する方向と反対方向へ延びる片持ち梁状をなし、前記複数のフックよりも前記長手方向の一方の端部の近くに位置し、当該コードハンガーを前記顕微鏡に取り付けた状態で前記顕微鏡からの抜け止めを行う抜止部と、
を備えたことを特徴とするコードハンガー。
【請求項２】
前記抜止部は、
当該コードハンガーの本体から延びる延在部と、
前記延在部の先端から、前記複数のフックが突出する側と反対側へ曲がって延びるレバー部と、
前記延在部の先端であって前記レバー部との境界付近に形成され、前記フックが突出する側と同じ側へ突出する突出部と、
を有することを特徴とする請求項１に記載のコードハンガー。
【請求項３】
前記コード巻付部は、
前記長手方向に沿って並べて配置され、前記長手方向の一端部で前記電源コードを巻き付けるための側面をそれぞれ有する第１および第２胴部と、
前記第１胴部と前記第２胴部の間に設けられ、前記第１および第２胴部よりも厚み方向に窪んだ形状をなす凹部と、
を有することを特徴とする請求項１または２に記載のコードハンガー。
【請求項４】
前記コード巻付部は、
前記長手方向の両端部で前記電源コードを巻き付けるための側面を有する胴部と、
前記胴部の中間部の側面に設けられ、前記コード巻付部の幅方向に貫通する貫通孔部と、
を有することを特徴とする請求項１または２に記載のコードハンガー。
【請求項５】
前記長手方向の端部であって前記複数のフックの先端が指向する方向と反対側の端部に設けられ、前記電源モジュールが有するＡＣアダプタを保持するＡＣアダプタ保持部をさらに備えたことを特徴とする請求項１〜４のいずれか一項に記載のコードハンガー。
【発明の詳細な説明】
【技術分野】
【０００１】
本発明は、顕微鏡の本体に着脱自在に取り付けられ、顕微鏡の電源コードを含む電源モジュールを収容するコードハンガーに関する。
【背景技術】
【０００２】
従来、顕微鏡の電源コードを巻いた状態で顕微鏡本体に取り付けられるコードハンガーとして、顕微鏡本体の背面板に設けられた複数の放熱用のスリットに掛止して固定するものが知られている（例えば、非特許文献１を参照）。
【０００３】
図１６は、従来のコードハンガーおよび顕微鏡の背面側の構成とコードハンガーの顕微鏡への取り付けの概要を示す図である。同図に示すコードハンガー２０１は、胴部２０２と、フック２０３、２０４と、抜止部２０５と、コード受け部２０６、２０７と、を備える。
【０００４】
胴部２０２は、略Ｌ字状の外形を有し、内部に複数のリブが形成され、一方の主面が開口した中空形状をなし、電源コードが巻き付けられる。
【０００５】
フック２０３は、胴部２０２の表面のうち顕微鏡３０１への取付時に顕微鏡３０１の背面に設けられる背面板３０２と対向する側の表面であって略Ｌ字の底辺部分の表面から突出して鉤状をなしている。
図１７は、フック２０３の構成を示す側面図である。フック２０３は、胴部２０２から突出しており、略Ｌ字の縦辺の頂点側には、背面板３０２のスリット３０２ａに引っ掛け可能な切り欠き２０３ａが形成されている。切り欠き２０３ａの基端部の幅ｗは、背面板３０２の厚さと同程度であってその厚さよりも若干大きい。切り欠き２０３ａが形成された部分のフック２０３の端部には、末端へ向けて先細となるテーパ形状をなし、フック２０３をスリット３０２ａへ引っ掛ける際のガイドとなるガイド部２０３ｂが設けられている。
フック２０３は、略Ｌ字の底辺部分に沿って二つ並べて配設されている。
【０００６】
フック２０４は、胴部２０２の表面のうちフック２０３が突出する側の表面であって略Ｌ字の縦辺部分から突出している。フック２０４は、フック２０３と略同じ形状をなしている。
【０００７】
抜止部２０５は、胴部２０２の表面のうちフック２０４が突出する側の表面であってフック２０４よりも略Ｌ字の縦辺部分の頂点に近い位置に設けられ、外部から加わる荷重に応じて変形し、顕微鏡３０１に取り付けられた状態で背面板３０２からの抜け止め機能を有する。
【０００８】
コード受け部２０６、２０７は、胴部２０２の表面のうちフック２０３等が突出する側の表面と反対側の表面から胴部２０２の厚み方向と直交する方向にそれぞれ延在し、胴部２０２に巻かれた電源コードが胴部２０２の厚み方向に沿って外れてしまうのを抑制する。
【０００９】
図１８は、抜止部２０５の構成を示す側面図である。抜止部２０５は、コードハンガー２０１の本体部から片持ち梁状をなして延びている。抜止部２０５は、胴部２０２の長手方向に沿って延びる延在部２０５ａと、延在部２０５ａから胴部２０２の中空部分へ曲がって略くの字状をなして延びるレバー部２０５ｂと、延在部２０５ａの先端から、レバー部２０５ｂが曲がる側と反対側に突起してスリット３０２ｂの上端に嵌合保持される突出部２０５ｃとを有する。
【００１０】
以上の構成を有するコードハンガー２０１を背面板３０２へ取り付ける際には、背面板３０２の上部において水平方向に沿って並べて形成され、各々が顕微鏡３０１の高さ方向に沿って細長の開口を有する５つのスリットのうち両端から２つ目のスリット３０２ａに２つのフック２０３をそれぞれ引っ掛けるとともに、背面板３０２の略中央下部に形成され、顕微鏡３０１の高さ方向に沿って細長の開口を有するスリット３０２ｃにフック２０４を引っ掛けた後、胴部２０２の略Ｌ字の縦辺部分の頂点付近を背面板３０２へ押し付ける。これにより、抜止部２０５は、突出部２０５ｃが背面板３０２に当接して押圧力を受け、図１９に示すように、延在部２０５ａの基端部を中心として回動しながら撓み始める。
【００１１】
抜止部２０５が撓み始めると、コードハンガー２０１は徐々に下方へ移動していく。コードハンガー２０１が下方への移動を続けていくと、抜止部２０５は、スリット３０２ｃの略斜め下方に形成され、顕微鏡３０１の高さ方向に沿って細長の開口を有するスリット３０２ｂに入り込んでスリット３０２ｃの上端にやがて当接する（図１８を参照）。コードハンガー２０１は、抜止部２０５がスリット３０２ｂの上端に当接した状態で、背面板３０２に対して固定される。
【００１２】
図２０は、コードハンガー２０１の背面板３０２からの取り外し方法の概要を示す図である。コードハンガー２０１を取り外す際には、抜止部２０５のレバー部２０５ｂを背面板３０２から離れる方向へ回動させる（図１９を参照）ことにより、抜止部２０５とスリット３０２ｂとの当接状態を解除する。レバー部２０５ｂを回動させる際には、図２０に示すように、ドライバＤｒを用いてレバー部２０５ｂを引いてもよい。レバー部２０５ｂの回動を行う際、ユーザは空いた方の手でコードハンガー２０１を斜め上方へ引き上げる。これにより、フック２０３とスリット３０２ａが離間するとともにフック２０４とスリット３０２ｃが離間し、コードハンガー２０１の背面板３０２からの取り外しが完了する。
【先行技術文献】
【非特許文献】
【００１３】
【非特許文献１】オリンパス株式会社，教育用生物顕微鏡ＣＸ２１取扱説明書，２０１１年１月，ｐ．１９
【発明の概要】
【発明が解決しようとする課題】
【００１４】
しかしながら、上述した従来のコードハンガー２０１の場合、上向きの過大な力が加わると、突出部２０５ｃ がスリット３０２ｂから外れるおそれがあった。これは、抜止部２０５の回動中心が突出部２０５ｃに対して上方に位置した状態で背面板３０２へ取り付けられるため、コードハンガー２０１に上向きの過大な力が加わると、突出部２０５ｃの上端には下向きの力が作用し、突出部２０５ｃがスリット３０２ｂから離間する方向に撓みやすいことに起因している。
【００１５】
本発明は、上記に鑑みてなされたものであって、顕微鏡の本体に対して着脱自在であり、顕微鏡本体への装着が容易であるとともに顕微鏡本体から外れにくいコードハンガーを提供することを目的とする。
【課題を解決するための手段】
【００１６】
上述した課題を解決し、目的を達成するために、本発明に係るコードハンガーは、電源コードを含む電源モジュールを介して電源を供給する顕微鏡に着脱自在に取り付けられ、前記電源モジュールを保持するコードハンガーであって、前記電源コードが巻き付けられるコード巻付部と、前記コード巻付部の表面からそれぞれ突出し、先端が当該コードハンガーの長手方向に沿って同じ方向を指向する鉤状をなす複数のフックと、前記複数のフックの先端が指向する方向と反対方向へ延びる片持ち梁状をなし、前記複数のフックよりも前記長手方向の一方の端部の近くに位置し、当該コードハンガーを前記顕微鏡に取り付けた状態で前記顕微鏡からの抜け止めを行う抜止部と、を備えたことを特徴とする。
【００１７】
また、本発明に係るコードハンガーは、上記発明において、前記抜止部は、当該コードハンガーの本体から延びる延在部と、前記延在部の先端から、前記複数のフックが突出する側と反対側へ曲がって延びるレバー部と、前記延在部の先端であって前記レバー部との境界付近に形成され、前記フックが突出する側と同じ側へ突出する突出部と、を有することを特徴とする。
【００１８】
また、本発明に係るコードハンガーは、上記発明において、前記コード巻付部は、前記長手方向に沿って並べて配置され、前記長手方向の一端部で前記電源コードを巻き付けるための側面をそれぞれ有する第１および第２胴部と、前記第１胴部と前記第２胴部の間に設けられ、前記第１および第２胴部よりも厚み方向に窪んだ形状をなす凹部と、を有することを特徴とする。
【００１９】
また、本発明に係るコードハンガーは、上記発明において、前記コード巻付部は、前記長手方向の両端部で前記電源コードを巻き付けるための側面を有する胴部と、前記胴部の中間部の側面に設けられ、前記コード巻付部の幅方向に貫通する貫通孔部と、を有することを特徴とする。
【００２０】
また、本発明に係るコードハンガーは、上記発明において、前記長手方向の端部であって前記複数のフックの先端が指向する方向と反対側の端部に設けられ、前記電源モジュールが有するＡＣアダプタを保持するＡＣアダプタ保持部をさらに備えたことを特徴とする。
【発明の効果】
【００２１】
本発明によれば、顕微鏡に掛止される複数のフックの先端が指向する方向と反対方向へ延びる片持ち梁状をなし、複数のフックよりも長手方向の一方の端部の近くに位置し、顕微鏡に取り付けた状態で顕微鏡からの抜け止めを行う抜止部を備えているため、顕微鏡本体に対して着脱自在であり、顕微鏡本体への装着が容易であるとともに顕微鏡本体から外れにくいコードハンガーを提供することができる。
【図面の簡単な説明】
【００２２】
【図１】図１は、本発明の一実施の形態に係るコードハンガーの顕微鏡へ取り付ける側の構成を示す斜視図である。
【図２】図２は、図１の矢視Ａ方向の正面図である。
【図３】図３は、図１の矢視Ｂ方向の背面図である。
【図４】図４は、図２の矢視Ｃ方向の側面図である。
【図５】図５は、図２の矢視Ｄ方向の上面図である。
【図６】図６は、本発明の一実施の形態に係るコードハンガーの抜止部の構成を示す図である。
【図７】図７は、図６の矢視Ｅ方向の側面図である。
【図８】図８は、本発明の一実施の形態に係るコードハンガーの使用状態を示す図である。
【図９】図９は、本発明の一実施の形態に係るコードハンガーの顕微鏡への取り付けの際の状態変化を側面から見た図である。
【図１０】図１０は、本発明の一実施の形態に係るコードハンガーの顕微鏡への取り付けの際の状態変化を背面板の正面から見た図である。
【図１１】図１１は、本発明の一実施の形態に係るコードハンガーを顕微鏡から取り外す状況を模式的に示す図である。
【図１２】図１２は、本発明の一実施の形態に係るコードハンガーを顕微鏡に取り付けて顕微鏡用の木箱へ収容した状態を示す部分断面図である。
【図１３】図１３は、本発明の一実施の形態の変形例１に係るコードハンガーの抜止部の構成を示す側面図である。
【図１４】図１４は、本発明の実施の形態の変形例２に係るコードハンガーの抜止部の構成を示す側面図である。
【図１５】図１５は、本発明の一実施の形態の変形例３に係るコードハンガーの構成を示す側面図である。
【図１６】図１６は、従来のコードハンガーおよび顕微鏡の背面側の構成とコードハンガーの顕微鏡への取り付けの概要を示す図である。
【図１７】図１７は、従来のコードハンガーのフックの構成を示す側面図である。
【図１８】図１８は、従来のコードハンガーの抜止部の構成を示す側面図である。
【図１９】図１９は、従来のコードハンガーの抜止部の撓みを説明する図である。
【図２０】図２０は、従来のコードハンガーの背面板からの取り外し方法の概要を示す図である。
【発明を実施するための形態】
【００２３】
以下、添付図面を参照して、本発明を実施するための形態（以下、「実施の形態」という）を説明する。なお、以下の説明で参照する図面は模式的なものであって、同じ物体を異なる図面で示す場合には、寸法や縮尺等が異なる場合もある。
【００２４】
図１は、本発明の一実施の形態に係るコードハンガーの顕微鏡へ取り付ける側の構成を示す斜視図である。図２は、図１の矢視Ａ方向の正面図である。図３は、図１の矢視Ｂ方向の背面図である。図４は、図２の矢視Ｃ方向の側面図である。図５は、図２の矢視Ｄ方向の上面図である。以下の説明においては、図１６に示す顕微鏡３０１に対してコードハンガーを取り付けるものとする。
【００２５】
図１〜図５に示すコードハンガー１は、顕微鏡３０１の背面板３０２に着脱自在に取り付けられ、ＡＣアダプタと、該ＡＣアダプタにそれぞれ連結される電源コードおよび出力コネクタコードとを有する顕微鏡用の電源モジュールを保持する。
【００２６】
コードハンガー１は、外周の一部に電源コードが巻き付けられる第１胴部２と、第１胴部２と同じ厚みを有し、外周の一部に電源コードおよび出力コネクタコードが巻き付けられる第２胴部３と、第１胴部２と第２胴部３との間に位置して第１胴部２および第２胴部３よりも肉薄であり、第２胴部３との段差部分に出力コネクタコードが巻き付けられる凹部４と、各々が第１胴部２から第１胴部２の厚み方向に鉤状をなして突出する二つのフック５と、第２胴部３から第２胴部３の厚み方向に鉤状をなして突出するフック６と、顕微鏡３０１に取り付けられた状態でコードハンガー１を顕微鏡３０１から抜け止めする抜止部７と、第１胴部２および第２胴部３に巻き付けられた電源コードおよび出力コネクタコードの第１胴部２および第２胴部３の厚み方向への動きを抑制するコード受け部８と、電源モジュールの一部をなすＡＣアダプタを保持するＡＣアダプタ保持部９と、を備える。第１胴部２、第２胴部３および凹部４は、コード巻付部を構成する。
【００２７】
第１胴部２の端面であってフック５が突出している側の端面には、顕微鏡３０１に取り付ける際に対向する位置に形成されているスリット３０２ｆに進入する突起部２１が設けられている。スリット３０２ｆは背面板３０２の上部で横方向に５つ並んだスリットの両端に位置している（後述する図１０を参照）。
第２胴部３は、顕微鏡３０１に取り付けられた状態で第１胴部２よりも下方に位置する。第２胴部３の端面であってフック６が突出している側の端面には、突起部２１と同じ形状をなしてスリット３０２ｂの横に設けられるスリット３０２ｅに進入する突起部３１が形成されている。
第１胴部２および第２胴部３は、内部に複数のリブが形成され、一方の主面が開口した中空形状をなしている。
【００２８】
２つのフック５は、顕微鏡３０１に取り付ける際に、それぞれ対応するスリット３０２ａに掛止される。フック５には、背面板３０２のスリット３０２ａに引っ掛け可能な切り欠き５ａが形成されている。切り欠き５ａの基端部の幅は、背面板３０２の厚さと同程度であってその厚さよりも若干大きい。切り欠き５ａが形成された部分のフック５の端部には、末端へ向けて先細となるテーパ形状をなし、フック５をスリット３０２ａへ引っ掛ける際のガイドとなるガイド部５ｂが設けられている。
【００２９】
フック６は、顕微鏡３０１に取り付ける際にスリット３０２ｃに掛止される。フック６には、背面板３０２のスリット３０２ｃに引っ掛け可能な切り欠き６ａが形成されている。切り欠き６ａの基端部の幅は、背面板３０２の厚さと同程度であってその厚さよりも若干大きい。切り欠き６ａが形成された部分のフック６の端部には、末端へ向けて先細となるテーパ形状をなし、フック６をスリット３０２ｃへ引っ掛ける際のガイドとなるガイド部６ｂが設けられている。
【００３０】
２つのフック５およびフック６は、コードハンガー１の長手方向に沿って先端が同じ方向を指向する鉤状をなしている。なお、フック５、６の配置位置および個数は、適宜変更することが可能である。
【００３１】
抜止部７は、２つのフック５の間に設けられ、２つのフック５の先端が施行する方向と反対方向へ延びる片持ち梁状をなす。図６は、抜止部７の構成を示す正面図である。図７は、図６の矢視Ｅ方向の側面図である。図６および図７に示す抜止部７は、第１胴部２から延びる延在部７１と、延在部７１の先端からフック５、６が突出する側と反対側（第１胴部２の中空部分）へ曲がって略くの字状をなして延びるレバー部７２と、延在部７１の先端に設けられ、延在部７１が延びる方向と略直交する方向であってレバー部７２が曲がるのと反対側に向けて突出する突出部７３とを有する。突出部７３の上端部７３ａは、略半円筒形状をなしている。
【００３２】
コード受け部８は、第１胴部２および第２胴部３の一方の面であってフック５および６がそれぞれ突出する方向と異なる面に設けられ、第１胴部２および第２胴部３の側面から広がる方向に延びる。
【００３３】
ＡＣアダプタ保持部９は、第１胴部２の端部であって顕微鏡３０１への取り付け時に第１胴部２の上方に位置する端部（以下、上端部という）に連なり、第１胴部２の開口面と略平行な平板状をなす主板部９１と、主板部９１の二つの端部であって二つのフック５が並んだ方向に沿った二つの端部から主板部９１と略直交する方向にそれぞれ延びる２つの側板部９２とを有し、略Ｃ字状をなす。ＡＣアダプタ保持部９が保持したＡＣアダプタは、第１胴部２の上端部に載置される。
【００３４】
以上の構成を有するコードハンガー１では、鉛直上方向へ過大な力が加わると、突出部７３は、上方で横方向に５つ並んだスリットのうち中央に位置するスリット３０２ｄの上端でより食い込む方向に倒れる。したがって、コードハンガー１が顕微鏡３０１の本体から外れにくいという格別な効果を奏する。この意味で、コードハンガー１は、抜止部７のレバー部７２を背面板３０２からある程度（例えば１０ｍｍ程度）離れる方向へ引かないと背面板３０２から外すことができないようにしておけばより好ましい。この場合には、上向きの過大な力が加わっても、コードハンガー１が背面板３０２から不意に外れてしまう可能性が一段と低くなる。
【００３５】
図８は、以上の構成を有するコードハンガー１の使用状態を示す図である。図８に示すように、コードハンガー１は、顕微鏡３０１の背面板３０２に固定された状態で電源モジュール１０１を保持する。電源モジュール１０１は、ＡＣアダプタ１０２と、ＡＣアダプタ１０２にＬ字コネクタ１０３を介して着脱自在に接続され、先端部に電源プラグ１０４が設けられた電源コード１０５と、ＡＣアダプタ１０２から延在し、端部に出力コネクタ１０６が設けられた出力コネクタコード１０７とを有する。
【００３６】
電源コード１０５の長さは、第１胴部２および第２胴部３に所定回数巻き付けた状態で、電源プラグ１０４が電源モジュール１０１の最下部付近で鉛直下方にぶら下がるように設定されている。このように電源コード１０５の長さを設定することにより、電源コード１０５の巻き付け反力による浮き上がりを防止して安定した状態で電源モジュールを収納することができる。なお、より一般に、電源コード１０５の長さは、第１胴部２および第２胴部３に所定回数巻き付けた状態で、電源プラグ１０４が電源モジュール１０１の重心よりも低い位置に位置するように設定すればよい。
【００３７】
出力コネクタコード１０７は、第２胴部３および凹部４に所定回数巻き付けた状態で、出力コネクタ１０６が、顕微鏡３０１に設けられる入力コネクタ３０３に過不足なく取り付けられるような長さを有する。
【００３８】
従来のコードハンガー２０１は、ＡＣアダプタ１０２を保持する構成を有しておらず、電源モジュール１０１を固定して収納することができなかった。また、出力コネクタ１０６を顕微鏡３０１の本体に接続した状態でＡＣアダプタ１０２が机上面から落下すると、出力コネクタ１０６に直接負荷が加わり、破損してしまう場合もあった。これに対し、本実施の形態のコードハンガー１は、ＡＣアダプタ保持部９がＡＣアダプタ１０２を保持するとともに、出力コネクタコード１０７をコードハンガー１へ巻き付けた状態で出力コネクタ１０６を入力コネクタ３０３に接続しているため、万が一ＡＣアダプタ１０２を落下させてしまっても、出力コネクタ１０６及び入力コネクタ３０３に大きな衝撃が加わることがない。したがって、出力コネクタ１０６および入力コネクタ３０３の損傷を最小限に抑えることができる。
【００３９】
図９は、コードハンガー１の顕微鏡３０１への取り付けの際の状態変化を側面から見た図である。図１０は、コードハンガー１の顕微鏡３０１への取り付けの際の状態変化を背面板３０２の正面側から見た図である。なお、図９（ａ）と図１０（ａ）、図９（ｂ）と図１０（ｂ）は、それぞれ同じ状態を示している。
【００４０】
まず、図９（ａ）および図１０（ａ）に示すように、背面板３０２のスリット３０２ａ、３０２ｃにフック５、６の先端をそれぞれ挿入して抜止部７を背面板３０２の表面に当接させる。
【００４１】
続いて、コードハンガー１を斜め下方向へ押しながらスライドさせる。このとき、抜止部７は、コードハンガー１が下降するにしたがって徐々に撓みが大きくなる。
【００４２】
その後、突出部７３の上端部７３ａがスリット３０２ｄ内部へ進入してスリット３０２ｄの上端に当接することにより、コードハンガー１は、図９（ｂ）および図１０（ｂ）に示すように、背面板３０２に固定された状態で取り付けられる。この際、突出部７３の上端部７３ａは円筒形状をなしているため、スリット３０２ｄの上端に確実に接触させることができる。
【００４３】
図１１は、コードハンガー１を顕微鏡３０１の背面板３０２から取り外す状況を模式的に示す図である。コードハンガー１を背面板３０２から取り外す際、ユーザは、抜止部７のレバー部７２を背面板３０２から遠ざかる方向へ回動させる（図１１の矢印Ｉ）。この際には、ドライバＤｒを用いてレバー部７２を回動させてもよいし、ユーザの指で直接レバー部７２を回動させてもよい。レバー部７２を回動させる際、ユーザは、レバー部７２を回動させている手と異なる手でコードハンガー１を上方へスライドさせる（図１１の矢印ＩＩ）。これにより、突出部７３が背面板３０２から退避してスリット３０２ｄとの当接状態が解除され、コードハンガー１を背面板３０２から取り外すことができる。なお、レバー部７２を回動させる際には、ドライバＤｒ以外の工具または治具を使用してもよい。
【００４４】
図１２は、コードハンガー１を顕微鏡３０１に取り付けて顕微鏡用の木箱へ収容した状態を示す部分断面図である。小中学校等の教育現場では、木箱を保管するために木箱の寸法に合った棚が設けられていることが多い。木箱の寸法が変化すると棚の寸法も変えなければならなくなるため、顕微鏡を新調する際に、従来の木箱をそのまま使用したいという要求が多い。このように、従来の木箱に合わせて収納可能な大きさの顕微鏡が求められている一方で、近年の顕微鏡は照明用の光源を備えているため、従来になかったＡＣアダプタ１０２の収納スペースが必要となる。この点に関し、コードハンガー１は、ＡＣアダプタ１０２を顕微鏡３０１の背面上方部のデッドスペースを利用して保持しているため、ＡＣアダプタ１０２を収納するために収納スペースを拡大しないで済む。したがって、ユーザは、木箱４０１として従来品を使用しながら、顕微鏡３０１のみの買い替えを行うことが可能となる。
【００４５】
以上説明した本発明の一実施の形態によれば、顕微鏡に掛止される複数のフックの先端が指向する方向と反対方向へ延びる片持ち梁状をなし、複数のフックよりも長手方向の一方の端部の近くに位置し、顕微鏡に取り付けた状態で顕微鏡からの抜け止めを行う抜止部を備えているため、顕微鏡本体に対して着脱自在であり、顕微鏡本体への装着が容易であるとともに顕微鏡本体から外れにくいコードハンガーを提供することができる。
【００４６】
また、本実施の形態によれば、顕微鏡３０１に取り付けた場合、抜止部７のレバー部７２が全てのフック５、６よりも上方に位置するため、ユーザが作業を行う際の視認性が良好であり、作業効率が高い。
【００４７】
図１３は、本実施の形態の変形例１に係るコードハンガーの抜止部の構成を示す側面図である。なお、図１３に示す抜止部１１以外のコードハンガーの構成は、上述したコードハンガー１の構成と同様である。
【００４８】
抜止部１１は、延在部１１１と、レバー部１１２と、突出部１１３とを有する。
延在部１１１およびレバー部１１２は、抜止部７の延在部７１およびレバー部７２とそれぞれ同じ構成を有している。
突出部１１３は、延在部１１１の先端部に設けられ、レバー部１１２が曲がる側と反対側に突出している。突出部１１３の上端部１１３ａは、半円筒形状をなすとともに、延在部１１１が延びる方向に対して傾斜したテーパ形状をなしている。このような形状を有する上端部１１３ａを備えることにより、鉛直上向きに過大な力が加わると、スリット３０２ａへの食い込みが一段と大きくなる。したがって、本変形例１によれば、顕微鏡へ取り付けた状態でより確実な抜け止め効果を得ることができる。
【００４９】
図１４は、本実施の形態の変形例２に係るコードハンガーの抜止部の構成を示す側面図である。なお、図１４に示す抜止部１２以外のコードハンガーの構成は、上述したコードハンガー１の構成と同じである。
【００５０】
抜止部１２は、弾性部１２１と、延在部１２２と、レバー部１２３と、突出部１２４と、を有する。
弾性部１２１は、第１胴部２から延びるとともにレバー部１２３を介して加えられる外力によって弾性変形可能である。
延在部１２２は、弾性部１２１の先端から延在する。
レバー部１２３は、延在部１２２の先端から第１胴部２の中空部分へ曲がって略くの字状をなして延びる。
突出部１２４は、延在部１２２の先端に設けられ、延在部１２２が延びる方向と略直交する方向であってレバー部１２３が曲がるのと反対側に向けて突出する。突出部１２４の形状は上述した抜止部１１の突出部１１３の形状と同じである。具体的には、突出部１２４は、上端部１２４ａが延在部１２２が延びる方向から斜め方向であって延在部１２２からレバー部１２３が曲がるのと反対方向へ向けて突出している。
【００５１】
以上の構成を有する抜止部１２を備えたコードハンガーが一旦背面板３０２へ固定されると、弾性部１２１の作用により、突出部１２４の上端部１２４ａは、スリット３０２ｄの上端を弾性力によって強く押圧し、スリット３０２ｄに食い込むように当接する。
【００５２】
したがって、本変形例２によれば、一段と背面板３０２から外れにくいコードハンガーを提供することができる。このようなコードハンガーは、製造時に背面板３０２への取付を行った後に取り外すことが想定されないような場合に好適である。
【００５３】
図１５は、本実施の形態の変形例３に係るコードハンガーの構成を示す側面図である。図１５において、コードハンガー１の構成要素と対応する構成要素には、コードハンガー１と同じ符号を付してある。
【００５４】
図１５に示すコードハンガー１３は、電源コードを巻き付けるための側面を有する胴部１３１と、胴部１３１の中間部の側面に設けられ、コードハンガー１３の幅方向（図１５の場合、紙面に垂直な方向）に貫通する貫通孔部１３２とを有する。
【００５５】
貫通孔部１３２は、コードハンガー１の凹部４と同じ機能を有している。すなわち、貫通孔部１３２には、出力コネクタコード１０７が巻き付けられる。このため、コードハンガー１３においては、胴部１３１および貫通孔部１３２によってコード巻付部が構成されている。
【００５６】
以上説明した本実施の形態の変形例３によれば、胴部に貫通孔部を設けているため、コードハンガーの強度をより強くすることができる。
【００５７】
ここまで、本発明を実施するための形態を説明してきたが、本発明は、上述した一実施の形態によってのみ限定されるべきものではない。
【００５８】
例えば、上述したコードハンガーの形状はあくまでも一例に過ぎず、同様の効果が得られる形状であれば任意に変更することが可能である。具体的には、コードハンガーにおける複数のフックの配置位置は、顕微鏡への取付時に上下方向に沿って配置される必要はなく、例えば顕微鏡への取り付け時に水平方向に並ぶように配置してもよい。
【００５９】
このように、本発明は、上述した一実施の形態とは異なる様々な実施の形態等を含みうるものである。
【符号の説明】
【００６０】
１、１３、２０１  コードハンガー
２  第１胴部
３  第２胴部
４  凹部
５、６、２０３、２０４  フック
５ａ、６ａ、２０３ａ  切り欠き
５ｂ、６ｂ、２０３ｂ  ガイド部
７、１１、１２、２０５  抜止部
８、２０６、２０７  コード受け部
９  ＡＣアダプタ保持部
２１、３１  突起部
７１、１１１、１２２、２０５ａ  延在部
７２、１１２、１２３、２０５ｂ  レバー部
７３、１１３、１２４、２０５ｃ  突出部
７３ａ、１１３ａ、１２４ａ  上端部
９１  主板部
９２  側板部
１０１  電源モジュール
１０２  ＡＣアダプタ
１０３  Ｌ字コネクタ
１０４  電源プラグ
１０５  電源コード
１０６  出力コネクタ
１０７  出力コネクタコード
１２１  弾性部
１３１、２０２  胴部
１３２  貫通孔部
３０１  顕微鏡
３０２  背面板
３０２ａ、３０２ｂ、３０２ｃ、３０２ｄ、３０２ｅ  スリット
３０３  入力コネクタ
４０１  木箱
【図１】
2013086899.tif 000003
【図２】
2013086899.tif 000004
【図３】
2013086899.tif 000005
【図４】
2013086899.tif 000006
【図５】
2013086899.tif 000007
【図６】
2013086899.tif 000008
【図７】
2013086899.tif 000009
【図８】
2013086899.tif 000010
【図９】
2013086899.tif 000011
【図１０】
2013086899.tif 000012
【図１１】
2013086899.tif 000013
【図１２】
2013086899.tif 000014
【図１３】
2013086899.tif 000015
【図１４】
2013086899.tif 000016
【図１５】
2013086899.tif 000017
【図１６】
2013086899.tif 000018
【図１７】
2013086899.tif 000019
【図１８】
2013086899.tif 000020
【図１９】
2013086899.tif 000021
【図２０】
2013086899.tif 000022